【事件の表示】
　平成　９年特許願第３５１００９号「皮膚洗浄剤組成物」拒絶査定不服審判事件〔平成１１年　７月　６日出願公開、特開平１１−１８０８５５〕について、次のとおり審決する。
【結　論】
　本件審判の請求は、成り立たない。
【理　由】
１．手続の経緯・本願発明
　本願は、平成９年１２月１９日の出願であって、その請求項１に係る発明は平成１９年２月１９日付けの手続補正書の特許請求の範囲の請求項１に記載された事項により特定される次のとおりのものである。（以下、「本願発明」という。）
　
「【請求項１】（Ａ）高級脂肪酸の塩基性アミノ酸塩、Ｎ−アシルアミノ酸型界面活性剤及びリン酸エステル型界面活性剤から選ばれるアニオン界面活性剤１〜３０重量％、及び（Ｂ）トリメチルグリシン０．２〜１０重量％を含有し、成分（Ａ）及び（Ｂ）の重量比が（Ａ）／（Ｂ）＝１００／１〜４／１であり、水膨潤性粘土鉱物を含有しない、粉末状を除く、洗顔料、メイク落とし又は身体洗浄剤である皮膚洗浄剤組成物。」
　
２．引用例の記載の概要
　当審で通知した拒絶の理由に引用された刊行物である引用例Ａ、Ｂ、Ｆ及びＧには以下の事項が記載されている。
　
引用例Ａ（特開平９−８７１２６号公報）；
　
（Ａ−１）「【請求項１】下記成分（Ａ）、（Ｂ）及び（Ｃ）を含有する化粧料。
（Ａ）グリシンベタイン
（Ｂ）ピロリドンカルボン酸またはその塩
（Ｃ）アミノ酸及びその塩から選ばれる２種以上のアミノ酸混合物」（２頁１欄２〜７行、【特許請求の範囲の請求項１】）
　
（Ａ−２）「グリシンベタインはトリメチルグリシンまたは単にベタインとも呼ばれ、古くから優れた保湿性、…、皮膚に対する高い親和性、優れた安全性等の特性を持つことが知られているものであり、その配合量は化粧料全量に対して…特に好ましくは０．１〜１０重量％である。」（２頁２欄６〜１２行、【０００６】）
　
（Ａ−３）「皮膚…の化粧料には、水分を保持し、かさつき感やぱさつき感を抑え、しっとり感を与えるため各種の保湿剤が用いられている。このような保湿剤として、グリシンベタイン…を…化粧料に用いることはよく知られている…。しかしながら、グリシンベタインを単独で配合した化粧料は、肌へのなじみの点で、…十分に満足の行くものではなかった。」（２頁１欄２５〜３８行、【０００２】【０００３】）
　
（Ａ−４）「本発明の化粧料は、溶液、乳化物、練り状混合物等の形態をとることが可能である。また、本発明における化粧料は、洗顔クリーム、洗顔フォーム、クレンジングクリーム、クレンジングミルク、クレンジングローション、…、ボディシャンプー、…等が含まれ、特に皮膚用の化粧料として好ましい。」（４頁５欄９〜２２行、【００２０】）
　
（Ａ−５）「本発明の化粧料には、…、必要に応じて通常化粧料に配合される成分を配合しうる。これらの成分としては、例えば、…、各種界面活性剤、…等が挙げられ、本発明の目的、効果を損なわない質的、量的範囲内で配合可能である。…界面活性剤としては、例えば…アニオン界面活性剤が挙げられる。」（２頁２欄３７行〜３頁３欄４４行、【０００９】【００１４】）
　
引用例Ｂ（特開平５−１５６２８６号公報）；
　
（Ｂ−１）「次の成分（Ａ）及び（Ｂ）、
（Ａ）リン酸エステル系界面活性剤、
（Ｂ）次の一般式（１）で表わされる２級アミド型Ｎ−アシルアミノ酸塩
　R1CONH(CH2)nCOOM1（１）
（式中、Ｒ1ＣＯは炭素数１０〜１６の直鎖アシル基を示し、ｎは１又は２の数を示し、Ｍ1はｎが１のときはナトリウム、カリウム又はアルカノールアンモニウムを、ｎが２のときはカリウム又はアルカノールアンモニウムを示す。）
を含有することを特徴とする洗浄剤組成物。」（２頁１欄３〜１３行、【特許請求の範囲の請求項１】）
　
（Ｂ−２）「身体…の洗浄剤組成物は一般にアニオン界面活性剤を主成分としており、合成アニオン界面活性剤の中ではリン酸エステル系界面活性剤がサルフェート系等の他のアニオン界面活性剤に比べて皮膚刺激が少ないことから近年好んで用いられている…。…しかしながら、これらのリン酸エステル系界面活性剤を配合した洗浄剤は、…皮膚が非常に敏感であり、一般の低刺激洗浄剤を用いても肌荒れ等を起こす人もあり、刺激性の点でも十分とはいえないこともあった。」（２頁１欄２２〜３４行、【０００２】【０００３】）
　
（Ｂ−３）「本発明の洗浄剤組成物における…成分の（Ａ）及び（Ｂ）の総配合量は、洗浄剤組成物の剤型により異なるが液状洗浄剤の場合組成物中５〜５０重量％、ペースト状洗浄剤の場合１５〜７０重量％、固形洗浄剤の場合４０〜９５重量％であることが好ましい。」（３頁４欄１４〜２０行、【００１７】）
　
（Ｂ−４）「その他の添加剤として、洗浄剤に通常用いられる成分を本発明の効果を損なわない範囲で任意に併用することができる。例えば、プロピレングリコール、ソルビトール、グリセリン等の保湿剤…を配合することができる。」（４頁５欄６〜１４行、【００２０】）
　
（Ｂ−５）「本発明の洗浄剤組成物は、常法により製造され、ペースト状、ゲル状、液状、固形状等の剤型とすることができ、皮膚…の身体用の洗浄剤として適するものであり」（４頁５欄１５〜１８行、【００２１】）
　
（Ｂ−６）実施例１にリン酸エステル型界面活性剤として、No.１〜７、１６〜１８にラウリルリン酸TEA（【注】：「TEA」は「トリエタノールアミン」の略号であることは明らかである。）を５〜２５重量％、No.８〜１１にミリスチルリン酸TEAを５〜２５重量％、及びNo.１２〜１５に分岐アルキルリン酸K（炭素数１１〜１５）を５〜２５重量％配合した洗浄剤組成物の調製例が記載されている。（４頁５欄２４行〜６頁１０欄、【００２３】〜【００２６】）
　
引用例Ｆ（月刊フードケミカル，１９９１年６月号，Vol.7, No.6, 通巻７４号、第１１２〜１２０頁、（株）食品化学新聞社発行）；
　
（Ｆ−１）ベタインすなわちトリメチルグリシンがシャンプー、…、ボディーシャンプー、石鹸等のスキンケア製品に及ぶ幅広い製品群の化粧品へ利用されていること、ベタインが、１．優れた保湿性２．なめらかな感触の付与３．優れた安全性と高い生分解性を有していること、『図７　ベタインの水分保持性』において５５％ＲＨ（【審決注】：「ＲＨ」は相対湿度（Relative Humidity）の略号。）、２週間保存時の１０％水溶液の残存水分量％がＰＧ（【審決注】：「ＰＧ」はプロピレングリコールの略号。）は0.2734、ソルビトールは1.1184、グリセリンは0.5587であるのに対してベタインは3.3285であるという結果に示す通りベタインは他の保湿剤と較べても優れた水分保持性を示していること、及び外用剤に配合する目的でベタインの安全性を試験した結果として、皮膚一時刺激性が「分類上無刺激と判定」されたことが記載されている。（１１６頁右欄下から８行〜１１８頁、左欄、図７；１１９頁、表の「５皮膚一次刺激性」）
　
引用例Ｇ（国際公開第９１／１８５８８号パンフレット）；
　
（Ｇ−１）トリメチルグリシン…の添加は…ラウリルエーテル硫酸ナトリウム又は他のアニオン性界面活性剤などのような刺激成分を含む化粧料用化合物の皮膚刺激特性…を減少することが見いだされた。（４頁、２８行〜５頁７行） 
　
（Ｇ−２）この発明の化粧料組成物は…皮膚洗浄剤、ボディシャンプー…等を含む。（４頁、２３〜２５行）
　
（Ｇ−３）トリメチルグリシンの配合量は…好ましくは１−１５重量％である。（４頁、２０〜２２行）
　
（Ｇ−４）実施例１８
実施例１８はこの発明に従った、刺激成分を含む皮膚洗浄剤のための例示的調製例である。
…
脂性皮膚用皮膚洗浄剤
成　分　　　　　　　　　　　　　　　　　　　　　　　　　量（％）
トリクロサン（脱臭剤；刺激成分）　　　　　　　　　　　　３．０
メントール（刺激成分）　　　　　　　　　　　　　　　　１０．０
ＤＥＡ−オレス−３　ホスフェート　　　　　　　　　　　　２．５
ヒドロキシプロピルセルロース　　　　　　　　　　　　　　２．５
アムホテリックー１　　　　　　　　　　　　　　　　　　　５．０
トリメチルグリシン　　　　　　　　　　　　　　　　　　　５．０
水　　　　　　　　　　　　　　　　　　　　　　　　　　３７．０
エタノール（９６％）　　　　　　　　　　　　　　　　　３５．０（１１頁６行〜１２頁１３行）
　
３．対比判断
 　引用例Ｂには、「次の成分（Ａ）及び（Ｂ）、（Ａ）リン酸エステル系界面活性剤、
（Ｂ）次の一般式（１）で表わされる２級アミド型Ｎ−アシルアミノ酸塩
　R1CONH(CH2)nCOOM1（１）
（式中、Ｒ1ＣＯは炭素数１０〜１６の直鎖アシル基を示し、ｎは１又は２の数を示し、Ｍ1はｎが１のときはナトリウム、カリウム又はアルカノールアンモニウムを、ｎが２のときはカリウム又はアルカノールアンモニウムを示す。）を含有することを特徴とする洗浄剤組成物。」（摘記事項（Ｂ−１））が、記載されている。この組成物は、ペースト状、ゲル状、液状、固形状等の剤型とすることができ、皮膚等の身体用の洗浄剤として適するものであって（摘記事項（Ｂ−５））水膨潤性粘土鉱物を含有しないものである。
　
　本願発明と上記洗浄剤組成物（以下、引用例発明という。）であって、ペースト状、ゲル状、液状の剤形をとるものとを対比する。
　両者は 成分（Ａ）『リン酸エステル型界面活性剤であるアニオン界面活性剤』を含有し、水膨潤性粘土鉱物を含有しない、粉末状を除く身体洗浄剤である皮膚洗浄剤組成物である点で一致し、以下の各点で相違する。
　
　（相違点１）本願発明はリン酸エステル型界面活性剤を１〜３０重量％含有するのに対して引用例発明ではリン酸エステル型界面活性剤の含有量が記載されていない点
　（相違点２）本願発明は成分（Ｂ）『トリメチルグリシン』を０．２〜１０重量％含有し、成分（Ａ）及び（Ｂ）の重量比が（Ａ）／（Ｂ）＝１００／１〜４／１であるのに対して、引用例発明ではトリメチルグリシンを含有しない点
　
（相違点１について）
　引用例Ｂには、洗浄剤組成物におけるリン酸エステル系界面活性剤及び特定の２級アミド型Ｎ−アシルアミノ酸塩の総配合量は、洗浄剤組成物の剤型により異なるが液状洗浄剤の場合組成物中５〜５０重量％、ペースト状洗浄剤の場合１５〜７０重量％、固形洗浄剤の場合４０〜９５重量％であることが好ましい（摘記事項（Ｂ−３））と記載され、実施例１にはリン酸エステル型界面活性剤を５〜２５重量％配合した液状の洗浄剤組成物の調製例（摘記事項（Ｂ−６））も示されている。
　そうすると、引用例Ｂにおいてリン酸エステル型界面活性剤の配合量を上記範囲を目安として配合可能な範囲を検討することは当業者が容易になし得ることであって、これを１〜３０重量％とした点に格別の困難性は見いだせない。
　
 （相違点２について） 
　引用例Ｂには、添加剤として、洗浄剤に通常用いられるプロピレングリコール、ソルビトール、グリセリン等の保湿剤を配合することができること（摘記事項（Ｂ−４））が記載されている。
　一方、トリメチルグリシン（ベタイン）が、化粧料添加成分として優れた保湿性、なめらかな感触の付与 、優れた安全性と高い生分解性を有し、他の保湿剤と較べても優れた水分保持性を示すことは周知であり（引用例Ｆ）、さらに引用例Ａにはトリメチルグリシンを０．１〜１０重量％含有する化粧料として、アニオン界面活性剤を配合した身体洗浄剤が示唆され（摘記事項Ａ−１〜５）、引用例Ｇにおいても、ＤＥＡ−オレス−３　ホスフェート（【審決注】：リン酸エステル型アニオン界面活性剤である「ポリオキシエチレンオレイルエーテルリン酸ジエタノールアミン」の別名。）を２．５重量％、及びトリメチルグリシンを５重量％含む、脂性皮膚用皮膚洗浄剤の調製例（摘記事項（Ｇ−４））が示され、トリメチルグリシンの添加はラウリルエーテル硫酸ナトリウム又は他のアニオン性界面活性剤などのような化粧料用化合物の皮膚刺激作用を減少させること、その配合量は好ましくは１−１５重量％であることが記載（摘記事項（Ｇ−１）、（Ｇ−３））されている。　
　そうすると、引用例Ｂにおける保湿剤として、他の保湿剤と較べても優れた保湿性を有するのみならず、アニオン性界面活性剤の皮膚刺激作用を減少させる特性をあわせ持つことが知られているトリメチルグリシンを採用し、その配合量を０．１〜１０重量％とすることは当業者であれば容易になし得ることである。
　
　そして、上記したように、洗浄剤組成物におけるアニオン性界面活性剤（Ａ）の配合量としては５〜２５重量％、保湿剤成分としてのトリメチルグリシン（Ｂ）の配合量としては０．１〜１５重量％という量が示されているのであるから、この範囲内において、皮膚洗浄剤として両成分が有利に作用する好適な配合比を決定することは当業者が適宜おこなうことであって、本願発明の（Ａ）／（Ｂ）＝１００／１〜４／１の比率にしても、上記各配合量の組合せから容易に導かれる範囲内のものである。
　また、本願明細書に記載された本願発明の効果にしても、上記各引用例の記載から当業者が容易に予測し得る範囲を超えるものではない。
　従って、本願発明は引用例Ａ乃至Ｂ、及びＦ乃至Ｇに記載された発明に基づいて当業者が容易に発明することができたものである。 
　
４．むすび
　以上のとおりであるから、本願発明は引用例Ａ乃至Ｂ、及びＦ乃至Ｇに記載された発明に基づいて、当業者が容易に発明をすることができたものであり、特許法第２９条第２項の規定により特許を受けることができない。
　よって、結論のとおり審決する。